(57)【要約】      （修正有）【課題】トイレ等のドアを容易にロックできると共に、緊急時ドア外部から施錠状態を解除可能とする。【解決手段】ドアの内側にロック部材４が摺動する支持部３を固定し、ドア外面に固定部５を固定する。固定部５にはこの固定部５内を昇降する昇降板６が配置され、ロック部材４の摺動により回動する駆動軸９と接続する昇降板駆動部材７が設けられ、ロック部材４の施錠、解錠に対応して昇降板駆動部材７の駆動板７ａが回動し、昇降板６を昇降させ、カバー部材８の窓に施錠状態、解錠状態を表示する。ロック部材４は解錠方向に移動するよう予め付勢されており、施錠時にこの付勢に抗してロック部材４を固定する固定手段が設けられている。非常時には開口８ｂ、７ｂ、９ａを経てピン等を挿通して固定手段を解除してロック部材を戻し、外部から解錠する。【選択図】図１
2010203095.tif 000002
【特許請求の範囲】
【請求項１】
支持部を摺動することによりドアの施錠・解錠を行なうドアのロック装置において、ドア内側に配置されるロック装置本体と、このロック装置本体とドアを連通してドア外面に設けられた表示部とを有し、ロック装置本体はドアに直接固定された支持部と、この支持部に対して摺動するロック部材とを有し、表示部はドアを介して前記ロック装置本体の支持部に連通しかつドア外面に固定された固定部と、固定部内に収納された昇降板とを有し、昇降板はロック部材の摺動に対応して回動する駆動軸と接続する昇降板駆動部材の一部を成す駆動板が配置され、かつ固定部にはカバー部材が取り付けられ、ロック部材の施錠及び解錠に対応して駆動板が回動し、この駆動板の回動により昇降板が昇降することによりカバー部材の窓を介してロック部材の施錠・解錠を表示するよう構成したことを特徴とするドアのロック装置。
【請求項２】
ロック部材には、当該ロック部材を解錠方向に移動するよう付勢するロック部材付勢手段と、このロック部材付勢手段の付勢に抗して当該ロック部材が施錠状態の位置で固定される固定手段とを有し、かつ固定手段にはこの固定を解除する解除手段が配置され、解錠時にはこの付勢手段によりロック部材が自動的に解錠位置に戻るよう構成したことを特徴とする請求項１記載のドアのロック装置。
【請求項３】
前記ロック部材付勢手段は、ロック部材側に設けた係止爪と支持部に設けた係止爪とにその両端がそれぞれ係止された引張ばねであることを特徴とする請求項１又は２記載のドアのロック装置。
【請求項４】
前記固定手段は支点を中心として回動するラッチと、支持部に設けられた係止体とを有し、ラッチは係止体と係止する係合部と、係合部に連設する斜面部とを有し、かつラッチ全体は前記支点を中心として係合部と係止体とが係合する方向に回動するよう付勢され、ロック部材の施錠方向への移動により斜面部が係止体を通過した後自動的にラッチと係止体が係合するよう構成したことを特徴とする請求項１乃至３の何れかに記載のドアのロック装置。
【請求項５】
前記ラッチの斜面部はロック部材が施錠位置に在るときに支持部に配置された駆動軸の端部に位置し、駆動軸及びこの駆動軸に接続する昇降板駆動部材は中空に形成され、ドア外部からこの中空部を介して針金等の長尺物を挿入することにより斜面部を押圧し、ラッチと係止体との係合状態を解除すると共に、ロック部材付勢手段によりロック部材を解錠方向に自動的に移動させるよう構成したことを特徴とする請求項４記載のドアのロック装置。
【請求項６】
前記ラッチの斜面部の先端は平面部となり、ロック部材が施錠位置に在るときにこの平面部が支持部に配置された駆動軸の端部に位置するよう構成され、前記長尺物がこの平面部を押圧するよう構成し、ラッチと係止体との係合状態をより確実に解除するよう構成したことを特徴とする請求項５記載のドアのロック装置。
【発明の詳細な説明】
【技術分野】
【０００１】
本発明はドアのロック装置に係り、特にスライド型のドアロック装置に関する。
【背景技術】
【０００２】
例えばトイレのドア等のロック装置として、トイレの内側においてスライド型のロック部材を壁側にスライドしてドアをロックする手段と、ドアの外側においてロック状態の有無を表示する表示する手段とを設けた、ドアのロック装置がある。
【０００３】
このようなスライド型のロック装置でかつロック手段と表示手段とを有するロック装置に関する発明を開示するものとして以下の文献がある。
【特許文献１】特開２００７−１８２７３２
【特許文献２】特開２００５−１２０７６７
【発明の開示】
【発明が解決しようとする課題】
【０００４】
上記各特許文献の発明は、ドアのロックが確実に行なえ、かつロックの有無が表示部において外部に表示される構成となっている。両特許文献記載の発明の表示部は何れも表示部内の表示板を回転させ、表示部の特定の位置に形成された窓を介してその回転位置に対応して表示板の所定部分、即ちロック（施錠）状態或いはアンロック（解錠）状態を示すよう構成されている。
【０００５】
ノブ式のロック装置であればノブ自体或いはノブの中心に位置したつまみを回転させてロックの開閉を行なうため、表示板の回転はノブ或いはつまみと同軸の構造とするだけで実現可能である。これに対してスライド式の構成では直線運動を回転運動に変換する手段が必要となる。上記各実施例では上記表示板の回転作動を実現するため表示板には回転軸が取り付けられ、回転軸先端にはピニオンが設けられ、かつスライド型のロック部材側にはラックが設けられ、このロック部材のスライド方向に対応してピニオンを介して表示板が回転し、表示部の窓に施錠・解錠を表示するよう構成している。
【０００６】
上記のラックとピニオンの構成は回転機構の設置、ラックの取り付け等必然的に部品点数が多くなりこの結果ロック装置全体の構成が複雑となる。またラックとピニオンによるギヤ機構は噛み合わせ部に埃や汚れが入ると作動が不確かとなったり、故障の原因となり、トイレのドア等必ずしも良好でない使用環境下ではやや脆弱な機構であるといえる。
【０００７】
また、スライド型のロック装置及びこれ以外のロック装置も含めて従来のロック装置では、ドア外部からロック状態を解除する手段は設けられていないのが実情である。今後益々高齢化する社会においてはトイレ内等での転倒事故、脳卒中の発症等の緊急事態の発生が懸念されるが、このような事態を想定して今後は何れの形式のロック装置でも緊急時に外部からロック状態を解除できる手段を設けておくことが望ましい。
【課題を解決するための手段】
【０００８】
本発明は上記目的に鑑みてなされたものである。
即ち、本発明はドア内部に設置された装置本体部と、ドア外部に設置されかつドアを介して装置本体と接続する表示部とからなり、装置本体はドア内側に固定される支持部と、この支持部に対して摺動するロック部材とを有し、かつ表示部はドアの表面において装置本体の支持部と対向する位置でドアに固定される固定部と、この固定部内を昇降する昇降板と、ロック部材の摺動方向に対応した方向に回動する昇降板駆動部材と、これら各部材を覆うカバー部材とから成ることを特徴とするドアのロック装置である。
【０００９】
より具体的にはロック部材は、ロック解除方向に移動するようバネ等の弾性体により付勢され、かつロック時にこの付勢に対向してロック部材をロック位置に係合固定する手段が設けられ、緊急事態等により外部から解錠する必要がある場合にはピン、針金等を用いて外部からこの係合状態を解除することが可能に構成されている。
【発明の効果】
【００１０】
ロック部材の所定位置に設けられた係合部と昇降板駆動部材を回動する軸に設けられた係合部材とが係合することにより昇降板駆動部材が回動し、この回動状態に対応して昇降板が昇降することにより表示部の窓に施錠・解錠の状態を表示する構造となっているため、ラックとピニオン等の複雑な歯車機構を必要とせず、構造が簡素であり、装置を安価に提供できると共に、故障の発生が少ない信頼性の高い装置とすることができる。
【００１１】
またロック部材がドアロック位置にある場合でも、ロック状態を外部から解除できるため、緊急時にも対応可能である。
【実施例１】
【００１２】
以下本発明の実施例を図面を参考に具体的に説明する。
先ず主として図１を用いて本発明に係るスライド型ロック装置の全体的な構造を説明する。図中符号１はドアの内側に設置されるスライド型ロック装置本体（以下単に「装置本体」とする）であり、２はドアを介してドア表面においてこのロック装置本体１に対向して配置固定される表示部である。
【００１３】
装置本体１はドア裏面においてドアに固定される支持部３と、この支持部３に対して摺動するロック部材４とを有している。３ａ、３ｂは支持部３の一部を成す螺子筒であって、この螺子筒３ａ、３ｂの基底部内には雌螺子が形成されている。符号９は後述する昇降板駆動部材と係合しかつこの昇降板駆動部材を回動させる駆動軸である。なおロック部材４の作動、施錠・解錠等に関する構造及び作動状態は後に詳述する。
【００１４】
一方表示部２は、前記装置本体１の支持部３と対向する位置でドア表面において固定される固定部５と、この固定部５内で昇降動作する昇降板６と、この昇降板６を昇降動作させる昇降板駆動部材７の一部を成す駆動板７ａと、固定部５に対して取り付けられるカバー部材８とからなっている。
【００１５】
次に図１の外に図２及び図３も含めてドアに対する本装置の取り付け状態について説明する。
装置の取り付けに当たっては、ロック装置が取り付けられる位置において、ドアに対して螺子筒３ａ、３ａ及び駆動軸９が挿通するための穴を３本形成しておく。この場合両側の穴の径は螺子筒３ａ、３ａが挿通可能な大きさとし、かつ中央の穴は昇降板駆動部材７の軸部７ｂが挿通しかつ、当該軸部７ｂが回動可能な程度の大きさとしておく。例えば軸部７ｂの外径が１０ｍｍであるとすると、穴の径は１１ｍｍ程度としておく。因に、両側の穴は螺子筒３ａ、３ａが挿通可能であれば良く、例えば螺子筒３ａ、３ａの外径が１０ｍｍであれば、穴の内径も１０ｍｍ程度でよい。
【００１６】
以上の状態で、支持部３の螺子筒３ａ、３ａ及び駆動軸９が所定の穴を挿通してドアの表面に突出したならば固定部５に形成されている係合筒５ａ、５ａ（図示の状態では一方の係合筒５ａのみが表示されている）を各螺子筒３ａ、３ａに挿通する。因に各螺子筒３ａ、３ａは係合筒５ａ、５ａよりも長く形成され、この結果厚さの異なるドアに対してもその挿通深さを変えることにより対応することができるよう構成されている。この状態で中央の駆動軸９はドアに形成された穴及び固定部５の挿通穴５ｂを介してドア外部に突出位置する。
【００１７】
上記の状態で、係合筒５ａを介してビス１０を挿通し螺子筒３ａ基部に形成された雌螺子部と当該ビス１０を螺合することによりドアを介して固定部５と本体部１とを固定し、両者を一体化させる。次に固定部５内に昇降板６を配置すると共に昇降板駆動部材７の軸部７ｂを、駆動軸９に対して挿通する。図示の場合は支持部３に対してロック部材が最前進位置にあり、ドアロック状態（後述する）となっているため、駆動軸９に対する昇降板駆動部材７の取り付けは、駆動板７ａが図示の如く起立している状態で当該昇降板駆動部材７を駆動軸９に嵌挿固定する。
【００１８】
固定部５と支持部３とが固定され、装置全体がドアに取り付けられたならば固定部５に対してカバー部材８を取り付け、ビス１１、１１を固定部５に螺合することによりカバー部材８を固定し装置の取り付けを完了する（図３も合わせて参照）。
【００１９】
次に装置の作動状態を内部機構の構成と共に説明する。
図４において、符号１２はロック部材４内に配置された引張型のコイルばねであって、一端は同ロック部材４側に設けられた係止爪４ａに接続し、他端は支持部３側に設けられた係止爪３ｂに接続している。これによりロック部材４は施錠を解除する方向（図４のＢ１方向）に移動するよう付勢されている。
【００２０】
符号１３はロック部材の固定手段の一部を成すラッチであり、支点１４を中心として揺動するよう構成され、常時は弾発型のコイルバネ１５により係合部１３ａがＣ１方向に回動位置するよう付勢されている。また符号１６は解錠ボタンである。なお、図中符号Ｄはロック装置の取り付け対象であるドアを示し、符号ＷＬはこのドアＤに隣接する壁部であって、この壁部ＷＬにはロック位置にあるロック部材４のピン係合部４ｂが係合する係合ピン１８が設けられている。
【００２１】
以上の構成において、ドアＤをロックする場合にはロック部材４をコイルばね４ａの引張力に抗してＡ１方向に移動させる。この移動により支持部３に突設された係止体３ｃにラッチ１３が近接するとラッチ１３の斜面部１３ｂは支持部３に突設された係止体３ｃを乗り越え、更に移動するとコイルバネ１５の弾発力により再度Ｃ１方向に回動し、ラッチ１３の係合部１３ａと前記係止体３ｃとが係合し、ロック部材４はこの位置で固定される。ロック部材４が固定された位置において当該ロック部材のピン係合部４ｂは壁部ＷＬに固定された係止ピン１８に係止し、これによりドアＤはロック部材４により壁部ＷＬに固定ロックされる。
【００２２】
またロックを解除する場合には解錠ボタン１６を押す。この解錠ボタン１６を押すことによりラッチ１３の係合部１３ａはＣ２方向に回動し、係止体３ｃとラッチ１３との係合状態が解除され、続いてコイルばね１２の収縮によりロック部材４はＢ１方向に自動的に戻りドアＤのロックが解除される。
【００２３】
一方、このロック部材４の動作に対応して表示部は以下のような作動をする。
先ず、ロック部材４が解錠状態、即ちＢ１方向に位置するときは、表示部内の駆動板７ａはＢ２方向に回動して寝た状態となっており〔図６（Ａ）参照〕、従って昇降板６は自重により下降した状態となっている。これによりカバー部材８の窓８ａには固定部５に表示されている「ＯＰＥＮ」の文字が示されることになる。
【００２４】
続いて、ロック部材４をＡ１の方向に移動させるとロック位置でロック部材４に設けた係止体４ｄに対して駆動軸９の端部に形成された係合体１７が係止し、かつ更なるＡ１方向への移動により回転し、ロック部材４によるドアＤのロックと共に、駆動体９に接続する昇降板駆動部材７の移動板７ａをＡ２方向に回動起立させる。これにより昇降板６は図６（Ｂ）に示すように上昇し、カバー部材８の窓８ａには「ＣＬＯＳＥ」の文字が表示される。
【００２５】
また解錠ボタン１６を押してロック部材４による施錠を解除するときは、ロック部材４がＢ１方向に移動し、最後退位置に至る時に前記係合体１７がロック部材４の係止体４ｅに係止しかつ最後退位置に至る際に駆動板７ａをＢ２方向に回動させ、これにより図６（Ａ）に示すように昇降板６は自重により下降し、カバー部材８の窓８ａには再度「ＯＰＥＮ」の文字が表示される。
【００２６】
次に、非常時の施錠状態解除について説明する。
昇降板駆動部材７、この昇降板駆動部材７が連設する駆動軸９は何れも中空になっており、ドアＤがロックされている状態で緊急に解錠したい場合には、針金或いは専用の解除ピンをカバー部材８の挿通穴８ｂ、昇降板駆動部材７の挿通穴７ｃ、駆動軸９の挿通穴９ａを挿通させる。ロック部材４がドアＤをロックしている状態では、ラッチ１３（図４において符号１３´示す）の平面部１３ｃがこの挿通穴９ａの開口部に位置している。このため、針金やピンを押し込むことによりこれら針金やピンの先端がラッチ１３の平面部１３ｃを押圧し、これによりラッチ１３はコイルばね１５の弾発力に抗してＣ２方向に回動し、係止体３ｃとの係合状態が解除される。係合状態の解除によりコイルばね１２の収縮力によってロック部材４は自動的にＢ１方向に移動しドアＤのロックが解除される。
【００２７】
なお、作動の確実性はやや低下するものの、平面部１３ｃを無くしてラッチ１３の構成を単純化し、ラッチ１３の斜面部１３ｂが挿通穴９ａの開口部に位置するよう構成して、この斜面部１３ｂを押圧するよう構成することも可能である。
【００２８】
上記実施例では表示部２における施錠・解錠の状態を「ＣＬＯＳＥ」、「ＯＰＥＮ」の英語表示としたが、「開」、「閉」等の日本語表示としたり、あるいは開を青、閉を赤など色で表示する等各種の表示方法が実施可能である。
【産業上の利用可能性】
【００２９】
上記各実例ではロック装置をトイレ等の家庭用を例に説明したが、施錠、解錠に大きな力を必要とせず、かつ作動部分が摺動を中心とした比較的単純な作動であるため、埃や粉塵等が生じる作業空間での利用も可能である。研究室等、頻繁に部外者が出入りすることを好まないような空間での施錠、及び室内での緊急事態に対応して外部から解錠する必要がある場合等、施錠の確実性と安全性の両方を両立させる必要がある分野で幅広く利用可能である。
【図面の簡単な説明】
【００３０】
【図１】本発明の実施例を示すドアのロック装置の分解斜視図である。
【図２】図１に示すドアのロック装置の表示部のカバー部材を取り付ける前の斜視図である。
【図３】ドアに対して取り付けを完了した状態のドアのロック装置の斜視図である。
【図４】ドアのロック装置の縦断面図である。
【図５】図４に示すドアのロック装置の平面図である。
【図６】固定部内の昇降板の作動状態を示し、（Ａ）はドアの解錠状態を、（Ｂ）はドアの施錠除隊を示す。
【図７】ロック部材の作動と昇降板駆動部材との作動の関係を示す昇降板駆動部材の斜視図である。
【符号の説明】
【００３１】
１  ドアのロック装置本体
２  表示部
３  支持部
３ａ  （支持部の）螺子筒
３ｂ  （支持部側の）係止爪
４  ロック部材
４ａ  （ロック部材側の）係止爪
４ｂ  （ロック部材の）ピン係合部
４ｄ、４ｅ  （ロック部材の）係止体
５  固定部
５ａ  （固定部の）係合筒
５ｂ  （固定部の）挿通穴
６  昇降板
７  昇降板駆動部材
７ａ  （昇降板駆動部材の）駆動板
７ｂ  （昇降板駆動部材の）軸部
７ｃ  （昇降板駆動部材の）挿通穴
８  カバー部材
８ａ  （カバー部材の）表示窓
８ａ  （カバー部材の）挿通穴
９  駆動軸
９ａ  （駆動軸の）挿通穴
１０、１１  ビス
１２  コイルばね（引張ばね）
１３  ラッチ
１３ａ  （ラッチの）係合部
１３ｂ  （ラッチの）斜面部
１３ｃ  （ラッチの）平面部
１４  支点
１５  コイルばね（弾発型）
１６  解錠ボタン
１７  係合体
１８  係合ピン
Ｄ  ドア
ＷＬ  壁
【図１】
2010203095.tif 000003
【図２】
2010203095.tif 000004
【図３】
2010203095.tif 000005
【図４】
2010203095.tif 000006
【図５】
2010203095.tif 000007
【図６】
2010203095.tif 000008
【図７】
2010203095.tif 000009